(57)【要約】  【課題】  各携帯電話器が位置する地域に応じたイントネーションで受信したコンテンツに係る音声を出力する。【解決手段】  携帯電話器１０は、中央装置２に対してコンテンツの要求を行う際、検出した現在の位置を示す位置データを付して要求データを中央装置２へ送信する。中央装置２は、受信した位置データに対応するイントネーションデータをウェブサーバ３で特定し、特定したイントネーションデータ及び要求データに対応するコンテンツデータをデータベースサーバ４から読み出して携帯電話器１０へ送信する。携帯電話器１０は受信したコンテンツデータに含まれる画面データを表示すると共に、コンテンツデータに含まれ音声データをイントネーションデータが規定するイントネーションに基づき再生する。【選択図】      図１
2006081026.tif 000002
【特許請求の範囲】
【請求項１】
位置検出手段を有する無線端末装置が、音声データ及び地域に応じたイントネーションを規定したイントネーションデータを記憶する中央装置へコンテンツの要求データを送信し、該中央装置は要求データの受信に応じて音声データを前記無線端末装置へ送信し、該無線端末装置は音声データを受信して音声を出力する音声出力方法であって、
前記無線端末装置は、前記位置検出手段が検出した位置を示す位置データを付した要求データを前記中央装置へ送信し、
前記中央装置は、受信した位置データに係る地域に対応するイントネーションデータ及び音声データを前記無線端末装置へ送信し、
前記無線端末装置は、受信したイントネーションデータが示すイントネーションに基づき音声データを再生して音声を出力することを特徴とする音声出力方法。
【請求項２】
無線端末装置が、識別データを有する通信中継装置を介して、音声データ及び地域に応じたイントネーションを規定したイントネーションデータを記憶する中央装置へコンテンツの要求データを送信し、該中央装置は要求データの受信に応じて音声データを前記無線端末装置へ送信し、該無線端末装置は音声データを受信して音声を出力する音声出力方法であって、
前記通信中継装置は、無線端末装置からの要求データに自身の識別データを付して前記中央装置へ送信し、
前記中央装置は、受信した識別データに基づき前記通信中継装置の位置を特定し、
特定した位置に係る地域に対応するイントネーションデータ及び音声データを前記無線端末装置へ送信し、
前記無線端末装置は、受信したイントネーションデータが示すイントネーションに基づき音声データを再生して音声を出力することを特徴とする音声出力方法。
【請求項３】
位置検出手段を有する無線端末装置が、地域に応じた表現の音声データを記憶する中央装置へコンテンツの要求データを送信し、該中央装置は要求データの受信に応じて音声データを前記無線端末装置へ送信し、該無線端末装置は音声データを受信して音声を出力する音声出力方法であって、
前記無線端末装置は、前記位置検出手段が検出した位置を示す位置データを付した要求データを前記中央装置へ送信し、
前記中央装置は、受信した位置データに係る地域に対応する音声データを前記無線端末装置へ送信し、
前記無線端末装置は、受信した音声データを再生して音声を出力することを特徴とする音声出力方法。
【請求項４】
無線端末装置が、識別データを有する通信中継装置を介して、地域に応じた表現の音声データを記憶する中央装置へコンテンツの要求データを送信し、該中央装置は要求データの受信に応じて音声データを前記無線端末装置へ送信し、該無線端末装置は音声データを受信して音声を出力する音声出力方法であって、
前記通信中継装置は、無線端末装置からの要求データに自身の識別データを付して前記中央装置へ送信し、
前記中央装置は、受信した識別データに基づき前記通信中継装置の位置を特定し、
特定した位置に係る地域に対応する音声データを前記無線端末装置へ送信し、
前記無線端末装置は、受信した音声データを再生して音声を出力することを特徴とする音声出力方法。
【請求項５】
無線端末装置は、相異する表現の音声データを記憶する中央装置へコンテンツの要求データを送信し、該中央装置は要求データの受信に応じて音声データを前記無線端末装置へ送信し、該無線端末装置が音声データを受信して音声を出力する音声出力方法であって、
前記中央装置は、複数の表現の中から一つの表現の選択を受け付けることが可能なメニューデータを前記無線端末装置へ送信し、
前記無線端末装置は、メニューデータから選択した一つの表現に係る選択データ及び要求データを前記中央装置へ送信し、
前記中央装置は、受信した選択データに係る表現に対応する音声データを前記無線端末装置へ送信し、
前記無線端末装置は、受信した音声データを再生して音声を出力することを特徴とする音声出力方法。
【請求項６】
前記中央装置は、表示用コンテンツデータを記憶しており、
前記無線端末装置からの要求データに対して前記音声データ及び前記表示用コンテンツデータを送信し、
前記無線端末装置は、表示部を備えており、
受信した表示用コンテンツデータに係るコンテンツの表示を前記表示部で行って音声を出力する請求項１乃至請求項５のいずれか１つに記載の音声出力方法。
【請求項７】
音声データ及び地域に応じたイントネーションを規定したイントネーションデータを記憶しており、コンテンツの要求データの受信に基づき音声データを送信する中央装置と、位置検出手段を有しており、該中央装置への要求データの送信に応じて受信した音声データに係る音声を出力する無線端末装置とを備える音声出力システムであって、
前記無線端末装置は、
前記位置検出手段が検出した位置を示す位置データを付した要求データを前記中央装置へ送信する手段を備え、
前記中央装置は、
受信した位置データに係る地域に対応するイントネーションデータ及び音声データを前記無線端末装置へ送信する手段を備え、
前記無線端末装置はさらに、
受信したイントネーションデータが示すイントネーションに基づき音声データを再生して音声を出力する手段を備えることを特徴とする音声出力システム。
【請求項８】
音声データ及び地域に応じたイントネーションを規定したイントネーションデータを記憶しており、コンテンツの要求データの受信に基づき音声データを送信する中央装置と、該中央装置への要求データの送信に応じて受信した音声データに係る音声を出力する無線端末装置と、識別データを有しており、前記中央装置及び無線端末装置間の通信を中継する通信中継装置とを備える音声出力システムであって、
前記通信中継装置は、
無線端末装置からの要求データに自身の識別データを付して前記中央装置へ送信する手段を備え、
前記中央装置は、
受信した識別データに基づき前記通信中継装置の位置を特定する手段と、
特定した位置に係る地域に対応するイントネーションデータ及び音声データを前記無線端末装置へ送信する手段とを備え、
前記無線端末装置は、
受信したイントネーション情報が示すイントネーションに基づき音声データを再生して音声を出力する手段を備えることを特徴とする音声出力システム。
【請求項９】
同一内容に対して相異する表現の音声データを記憶しており、コンテンツの要求データの受信に基づき音声データを送信する中央装置と、該中央装置への要求データの送信に応じて受信した音声データに係る音声を出力する無線端末装置とを備える音声出力システムであって、
前記中央装置は、
前記無線端末装置からの要求データに基づき音声データを特定する手段と、
特定した音声データを前記無線端末装置へ送信する手段とを備えることを特徴とする音声出力システム。
【請求項１０】
音声データ及び地域に応じたイントネーションを規定したイントネーションデータを記憶しており、外部からのコンテンツの要求データの受信に基づき音声データを外部の要求元へ提供する音声データ提供装置であって、
外部からの要求データに基づきイントネーションデータを特定する手段と、
特定したイントネーションデータ及び音声データを要求元へ送信する手段とを備えることを特徴とする音声データ提供装置。
【請求項１１】
同一内容に対して相異する表現の音声データを記憶しており、ネットワークを介して外部から受信したコンテンツの要求データに基づき音声データを要求元へ提供する音声データ提供装置であって、
外部からの要求データに基づき音声データを特定する手段と、
特定した音声データを要求元へ送信する手段とを備えることを特徴とする音声データ提供装置。
【発明の詳細な説明】
【技術分野】
【０００１】
本発明は、コンテンツの要求を行ったユーザが位置する地域に応じたイントネーション、言い回し等でコンテンツに係る音声を出力すること、並びに様々な表現形式からユーザが選択した表現で音声を出力することを可能にした音声出力方法、音声出力システム、及び音声データ提供装置に関する。
【背景技術】
【０００２】
従来、携帯電話器は通常の通話機能に加えて、インターネットのウェブサイトの閲覧、画像の表示、音楽及び音声の再生出力と云った各種機能を有する。また、携帯電話器の多様な機種の中には、表示画面に表示させたコンテンツに連動させて音声等を出力するものや、表示したコンテンツに含まれる文字を音声に変換して読み上げる音声合成機能を有するものも存在する。
【０００３】
なお、文字の音声読み上げを精度良く行うことは下記の特許文献１で開示されており、文字の音声読み上げを行う場所等に応じて読み上げ方を変更することは下記の特許文献２に開示されている。
【０００４】
一方、携帯電話器の表示画面の寸法は、一般にＰＤＡ（Personal Digital Assistant）及び携帯型のパーソナルコンピュータの表示画面に比べて小さい。そのため、表示画面に表示したコンテンツ中に可視化されていない情報を読み上げるようにしたものも存在する（特許文献３参照）。
【特許文献１】特開２００２−２８７７８６号公報
【特許文献２】特開２００２−１０８３７８号公報
【特許文献３】特開２００２−１４８９３号公報
【発明の開示】
【発明が解決しようとする課題】
【０００５】
携帯電話器はユーザと共に各地を移動するため、移動先の地域で携帯電話器から出力される音声が内容的には同一であっても、その地域に応じたイントネーション、方言、言い回し等で音声を出力させると、いつもと違う場所にいることをユーザに実感させる機能になる。例えば、旅行に出かけたときに携帯電話器から出力される音声が旅行先の地域の方言になれば、旅情を高めることができ、また、ユーザが帰省したときに出力される音声が故郷の言葉であれば、懐かしさを昂揚できる。
【０００６】
しかし、特許文献２に係る発明では、単に文章作成者の地域情報又は文章を聞き取る者の地域情報等に基づき読み上げ方を変更するに留まるため、上述した様々な移動先で地域に応じた音声を出力することに対応できないと云う問題がある。しかも、特許文献２に係る発明は、音声出力側の機器が主となって地域情報等の判別処理を行う必要があるため、限られた寸法の携帯電話器では増大する処理負担に対応することが困難であり、機種によっては仕様的にそのような処理に対応できないと云う問題がある。
【０００７】
また、携帯電話器での音声出力において、同一の内容であっても異なる表現で出力できれば、ユーザが享受できる楽しさを増大できる。例えば、外国人が日本語を話すときの口調表現、ラップミュージック的にラッパーが語るような表現、時代劇の登場人物が話す表現、様々な国の言葉での表現等で同一内容を音声出力すれば、ユーザへ新たな楽しさを与えることができる。
【０００８】
上述したような地域に応じたイントネーション、方言等による音声出力、同一内容に対する様々な異なる表現での音声出力を、インターネットで提供されるウェブコンテンツと連動して行うと、ユーザは携帯電話器で表示されるウェブページのコンテンツと共に上述した音声を聴取できる。その結果、ユーザはウェブコンテンツの新たな楽しみ方を得ることができ、ウェブサイトを運営する企業にとっては、提供するウェブコンテンツの注目度を高めて他のウェブサイトとの差別化を図れる。
【０００９】
さらに、上述したような音声出力は、特許文献３で開示される表示したコンテンツ中に可視化されていない情報を読み上げる際にも適用できる。特に、携帯電話器向けに提供するウェブコンテンツサービスは、携帯電話器で一度に表示できる情報量が表示部のサイズの関係から限定されることより、可視化されていない情報を読み上げる際に上述した音声出力を適用することは、ユーザに対して強くコンテンツを印象づけることができ好適である。
【００１０】
本発明は、斯かる事情に鑑みてなされたものであり、携帯電話器を利用する地域に応じたイントネーションで音声を自動的に出力できるようにした音声出力方法、音声出力システム、及び音声データ提供装置を提供することを目的とする。
また、本発明は、携帯電話器を利用する地域に応じた表現の音声を自動的に出力できるようにした音声出力方法、音声出力システム、及び音声データ提供装置を提供することを目的とする。
【００１１】
さらに、本発明は、様々な表現の中からユーザが選択した表現方式で音声を出力できるようにした音声出力方法、音声出力システム、及び音声データ提供装置を提供することを目的とする。
さらにまた、本発明は、上述したような音声出力をコンテンツの表示と連動して行えるようにした音声出力方法を提供することを目的とする。
【課題を解決するための手段】
【００１２】
上記課題を解決するために第１発明に係る音声出力方法は、位置検出手段を有する無線端末装置が、音声データ及び地域に応じたイントネーションを規定したイントネーションデータを記憶する中央装置へコンテンツの要求データを送信し、該中央装置は要求データの受信に応じて音声データを前記無線端末装置へ送信し、該無線端末装置は音声データを受信して音声を出力する音声出力方法であって、前記無線端末装置は、前記位置検出手段が検出した位置を示す位置データを付した要求データを前記中央装置へ送信し、前記中央装置は、受信した位置データに係る地域に対応するイントネーションデータ及び音声データを前記無線端末装置へ送信し、前記無線端末装置は、受信したイントネーションデータが示すイントネーションに基づき音声データを再生して音声を出力することを特徴とする。
【００１３】
第２発明に係る音声出力方法は、無線端末装置が、識別データを有する通信中継装置を介して、音声データ及び地域に応じたイントネーションを規定したイントネーションデータを記憶する中央装置へコンテンツの要求データを送信し、該中央装置は要求データの受信に応じて音声データを前記無線端末装置へ送信し、該無線端末装置は音声データを受信して音声を出力する音声出力方法であって、前記通信中継装置は、無線端末装置からの要求データに自身の識別データを付して前記中央装置へ送信し、前記中央装置は、受信した識別データに基づき前記通信中継装置の位置を特定し、特定した位置に係る地域に対応するイントネーションデータ及び音声データを前記無線端末装置へ送信し、前記無線端末装置は、受信したイントネーションデータが示すイントネーションに基づき音声データを再生して音声を出力することを特徴とする。
【００１４】
第３発明に係る音声出力方法は、位置検出手段を有する無線端末装置が、地域に応じた表現の音声データを記憶する中央装置へコンテンツの要求データを送信し、該中央装置は要求データの受信に応じて音声データを前記無線端末装置へ送信し、該無線端末装置は音声データを受信して音声を出力する音声出力方法であって、前記無線端末装置は、前記位置検出手段が検出した位置を示す位置データを付した要求データを前記中央装置へ送信し、前記中央装置は、受信した位置データに係る地域に対応する音声データを前記無線端末装置へ送信し、前記無線端末装置は、受信した音声データを再生して音声を出力することを特徴とする。
【００１５】
第４発明に係る音声出力方法は、無線端末装置が、識別データを有する通信中継装置を介して、地域に応じた表現の音声データを記憶する中央装置へコンテンツの要求データを送信し、該中央装置は要求データの受信に応じて音声データを前記無線端末装置へ送信し、該無線端末装置は音声データを受信して音声を出力する音声出力方法であって、前記通信中継装置は、無線端末装置からの要求データに自身の識別データを付して前記中央装置へ送信し、前記中央装置は、受信した識別データに基づき前記通信中継装置の位置を特定し、特定した位置に係る地域に対応する音声データを前記無線端末装置へ送信し、前記無線端末装置は、受信した音声データを再生して音声を出力することを特徴とする。
【００１６】
第５発明に係る音声出力方法は、無線端末装置は、相異する表現の音声データを記憶する中央装置へコンテンツの要求データを送信し、該中央装置は要求データの受信に応じて音声データを前記無線端末装置へ送信し、該無線端末装置が音声データを受信して音声を出力する音声出力方法であって、前記中央装置は、複数の表現の中から一つの表現の選択を受け付けることが可能なメニューデータを前記無線端末装置へ送信し、前記無線端末装置は、メニューデータから選択した一つの表現に係る選択データ及び要求データを前記中央装置へ送信し、前記中央装置は、受信した選択データに係る表現に対応する音声データを前記無線端末装置へ送信し、前記無線端末装置は、受信した音声データを再生して音声を出力することを特徴とする。
【００１７】
第６発明に係る音声出力方法は、前記中央装置は、表示用コンテンツデータを記憶しており、前記無線端末装置からの要求データに対して前記音声データ及び前記表示用コンテンツデータを送信し、前記無線端末装置は、表示部を備えており、受信した表示用コンテンツデータに係るコンテンツの表示を前記表示部で行って音声を出力することを特徴とする。
【００１８】
第７発明に係る音声出力システムは、音声データ及び地域に応じたイントネーションを規定したイントネーションデータを記憶しており、コンテンツの要求データの受信に基づき音声データを送信する中央装置と、位置検出手段を有しており、該中央装置への要求データの送信に応じて受信した音声データに係る音声を出力する無線端末装置とを備える音声出力システムであって、前記無線端末装置は、前記位置検出手段が検出した位置を示す位置データを付した要求データを前記中央装置へ送信する手段を備え、前記中央装置は、受信した位置データに係る地域に対応するイントネーションデータ及び音声データを前記無線端末装置へ送信する手段を備え、前記無線端末装置はさらに、受信したイントネーションデータが示すイントネーションに基づき音声データを再生して音声を出力する手段を備えることを特徴とする。
【００１９】
第８発明に係る音声出力システムは、音声データ及び地域に応じたイントネーションを規定したイントネーションデータを記憶しており、コンテンツの要求データの受信に基づき音声データを送信する中央装置と、該中央装置への要求データの送信に応じて受信した音声データに係る音声を出力する無線端末装置と、識別データを有しており、前記中央装置及び無線端末装置間の通信を中継する通信中継装置とを備える音声出力システムであって、前記通信中継装置は、無線端末装置からの要求データに自身の識別データを付して前記中央装置へ送信する手段を備え、前記中央装置は、受信した識別データに基づき前記通信中継装置の位置を特定する手段と、特定した位置に係る地域に対応するイントネーションデータ及び音声データを前記無線端末装置へ送信する手段とを備え、前記無線端末装置は、受信したイントネーション情報が示すイントネーションに基づき音声データを再生して音声を出力する手段を備えることを特徴とする。
【００２０】
第９発明に係る音声出力システムは、同一内容に対して相異する表現の音声データを記憶しており、コンテンツの要求データの受信に基づき音声データを送信する中央装置と、該中央装置への要求データの送信に応じて受信した音声データに係る音声を出力する無線端末装置とを備える音声出力システムであって、前記中央装置は、前記無線端末装置からの要求データに基づき音声データを特定する手段と、特定した音声データを前記無線端末装置へ送信する手段とを備えることを特徴とする。
【００２１】
第１０発明に係る音声データ提供装置は、音声データ及び地域に応じたイントネーションを規定したイントネーションデータを記憶しており、外部からのコンテンツの要求データの受信に基づき音声データを外部の要求元へ提供する音声データ提供装置であって、外部からの要求データに基づきイントネーションデータを特定する手段と、特定したイントネーションデータ及び音声データを要求元へ送信する手段とを備えることを特徴とする。
【００２２】
第１１発明に係る音声データ提供装置は、同一内容に対して相異する表現の音声データを記憶しており、ネットワークを介して外部から受信したコンテンツの要求データに基づき音声データを要求元へ提供する音声データ提供装置であって、外部からの要求データに基づき音声データを特定する手段と、特定した音声データを要求元へ送信する手段とを備えることを特徴とする。
【００２３】
第１発明及び第７発明にあっては、無線端末装置が位置データを付した要求データを中央装置へ送信するので、中央装置では無線端末装置の現在位置を特定できるようになる。また、中央装置は特定した位置に応じたイントネーションデータを音声データと共にコンテンツの要求元の無線端末装置へ送信し、無線端末装置はイントネーションデータが示すイントネーションに基づき音声データを再生するので、無線端末装置が現在位置する地域に応じたイントネーションで音声データが規定する内容の音声を出力できるようになる。
【００２４】
その結果、無線端末装置が様々な地域に移動しても、各移動先の地域に応じたイントネーションで音声を出力でき、いつもと異なる場所にいることをユーザに実感させることができる。また、上述したように複数のイントネーションデータの中から地域に応じたものを特定して音楽データと合わせて要求元へ送信することで、音楽データ自体は共通のものを用いることができるので、中央装置が記憶する必要のある音楽データの種類を抑えることができ、好適である。
【００２５】
第２発明及び第８発明にあっては、通信中継装置が無線端末装置からの要求データに識別データを付して中央装置へ送信するので、中央装置では通信中継装置の位置を識別データを利用して特定できるようになる。また、一般に、携帯電話器のような無線端末装置は直近の通信中継装置を介して通信を行うので、通信中継装置の位置は無線端末装置の位置とみなせるため、無線端末装置の概略的な位置を中央装置は通信中継装置を利用して間接的に把握できるようになる。
【００２６】
よって、中央装置は把握した位置に応じたイントネーションデータを音声データと共にコンテンツの要求元の無線端末装置へ送信し、無線端末装置はイントネーションデータが示すイントネーションに基づき音声データを再生するので、無線端末装置の位置する地域に応じたイントネーションでコンテンツに係る音声を出力できるようになる。このように通信中継装置の識別データを利用して無線端末装置の位置を中央装置で把握する場合は、無線端末装置の位置検出手段は不要となり、無線端末装置が位置検出手段を有しない一般的な機種でも現在の位置に応じたイントネーションで音声出力が可能になる。
【００２７】
第３発明にあっては、無線端末装置が位置データを付した要求データを中央装置へ送信することで、中央装置は無線端末装置の現在位置を特定でき、特定した位置に応じた音声データ送信して、無線端末装置で音楽データを再生するので、無線端末装置が現在いる地域に応じた表現で音声を出力できるようになる。特に、中央装置は地域に応じた表現の音声データを複数記憶することから、イントネーションだけでなく、言葉及び言い回し等もその地域に対応させることができ、一段と地域に結び付いたリアルな表現をユーザに聞かせることができる。
【００２８】
第４発明にあっては、通信中継装置が無線端末装置からの要求データに識別データを付して中央装置へ送信するので、無線端末装置の概略的な位置を通信中継装置の位置を利用して中央装置では把握でき、また、中央装置は、把握した位置に応じた表現の音声データを無線端末装置へ送信するので、ユーザは現在の位置に応じたイントネーション、言葉、言い回しによる音声を聞けるようになる。
【００２９】
第５発明にあっては、無線端末装置がメニューデータで選択した一つの表現に係る選択データを要求データと共に中央装置へ送信し、中央装置は受信した選択データに係る表現の音声データを無線端末装置へ送信するので、無線端末装置は同一内容に対して多彩な表現で音声出力できるようになる。同一内容に対する相異する表現方式としては、外国人が日本語を話すときのような表現、ラップミュージック的な表現、時代がかった表現、様々な国の言葉による表現等を適用できる。
【００３０】
第６発明にあっては、中央装置が音声データと共に表示用コンテンツデータを送信し、無線端末装置では表示用コンテンツデータのコンテンツを表示して音声も出力するので、上述した特徴的な音声の出力に各種表示を組み合わせたコンテンツをユーザに提供できるようになる。その結果、ユーザはコンテンツの閲覧に加えて現在いる場所に応じた音声を楽しむことができる一方、ウェブサイトを運営する企業は、提供するウェブコンテンツでコンテンツの表示に加えて特徴的な音声も出力可能になり、ウェブコンテンツの差別化を図れる。なお、コンテンツの表示と音声を組み合わせる場合は、表示されるコンテンツ中のユーザが閲覧できる文字、文章等を音声出力すること、コンテンツの表示で可視化されない内容を音声出力することのいずれもが適用可能である。
【００３１】
第９発明にあっては、相異する表現の音声データを記憶する中央装置が無線端末装置からの要求データに基づき、複数の音声データの中から所望の音声データを特定して無線端末装置へ送信するので、無線端末装置では様々な音声データに係る音声を出力できるようになる。なお、相異する表現の音声データとしては、地域に応じた表現の音声データ、又は、地域には関係なく時代、話し手等により表現が相異する音声データ等が該当し、要求データの内容又は要求データに付された内容に基づき中央装置は所定に音声データを選択することになる。
【００３２】
第１０発明にあっては、音声データ提供装置が、外部からの要求データに基づき特定したイントネーションデータと音声データとを要求元へ送信するので、コンテンツの要求元の装置では、イントネーションデータが規定するイントネーションに基づき音声データに係る音声を出力できるようになり、要求元の装置が位置する地域に応じたイントネーションで音声を聞かせられる。
【００３３】
第１１発明にあっては、音声データ提供装置が、外部からの要求データに基づき特定した音声データを要求元へ送信するので、要求元の装置では、現在位置する地域に応じた音声をユーザに聞かせられる。
【発明の効果】
【００３４】
第１発明及び第７発明にあっては、無線端末装置が送信する要求データに付された位置データに基づき中央装置が無線端末装置の現在位置を特定し、その位置に応じたイントネーションデータを音声データと共に無線端末装置へ送信するので、無線端末装置は現在いる地域のイントネーションで音声出力でき、無線端末装置の移動に伴い様々に変化するイントネーションでユーザを楽しませることができる。
【００３５】
第２発明及び第８発明にあっては、通信中継装置が無線端末装置からの要求データに付した識別データに基づいて中央装置は無線端末装置の現在位置を間接的に特定し、その位置に応じたイントネーションデータを音声データと共に要求元の無線端末装置へ送信し、無線端末装置は受信したイントネーションデータに基づき音声を出力するので、移動毎に変化するイントネーションでユーザを楽しませることができる。
【００３６】
第３発明にあっては、無線端末装置が送信する要求データに付された位置データに基づき中央装置が無線端末装置の現在位置を特定し、その位置に応じた音声データを要求元の無線端末装置へ送信するので、無線端末装置は現在いる地域に応じた表現の音声を出力でき、無線端末装置の移動に伴い様々に表現が変化する音声でユーザを楽しませることができる。
【００３７】
第４発明にあっては、通信中継装置が無線端末装置からの要求データに付した識別データに基づき中央装置は無線端末装置の現在位置を間接的に特定し、その位置に応じた表現の音声データを要求元の無線端末装置へ送信し、無線端末装置は受信した音声データに係る表現の音声を出力するので、移動毎に表現が変化する音声でユーザを楽しませることができる。
【００３８】
第５発明にあっては、無線端末装置からの要求データに付された選択データに基づき中央装置が、複数の音声データの中から所望の音声データを特定して無線端末装置へ送信するので、ユーザは無線端末装置で様々な表現の音声を出力でき、多様な表現の音声を楽しむことができる。
【００３９】
第６発明にあっては、中央装置が音声データと共に表示用コンテンツデータを送信し、無線端末装置では表示用コンテンツデータのコンテンツを表示して音声も出力するので、特徴的な音声の出力と各種表示とを組み合わせてユーザを多元的に楽しませることができると共に、そのようなコンテンツを提供する企業は、自社が提供するコンテンツをユーザ（消費者）に強く印象付けることができる。
【００４０】
第９発明にあっては、相異する表現の音声データを記憶する中央装置が無線端末装置からの要求データに基づいて特定の音声データを選別して無線端末装置へ送信するので、無線端末装置では様々な音声データの音声を出力できる。
【００４１】
第１０発明にあっては、音声データ提供装置が、外部からの要求データに基づき特定したイントネーションデータと音声データとを要求元へ送信するので、要求元の装置では現在の位置に応じたイントネーションの音声を出力させることができる。
第１１発明にあっては、音声データ提供装置が、外部からの要求データに基づき特定した音声データを要求元へ送信するので、現在いる地域に応じた音声をユーザに聞かせることができる。
【発明を実施するための最良の形態】
【００４２】
図１は、本発明の第１実施形態に係る音声出力システム１の全体的な構成を示す概略図である。音声出力システム１は、各携帯電話器１０〜１２と中央装置２との間でネットワーク５及び各通信中継装置６ａ〜６ｎを介してデータ通信を行い、中央装置２は各携帯電話器１０〜１２からの要求に基づき音声データを送信し、各携帯電話器１０〜１２は音声データを受信して音声を出力するものである。
【００４３】
本実施形態は、各携帯電話器１０〜１２がＧＰＳ（Global Positioning System）を利用して人工衛星７から検出した位置を示す位置データを中央装置２へ送信し、中央装置２は受信した位置データに対応するイントネーションデータを音声データと共に送信し、各携帯電話器１０〜１２は、イントネーションデータに基づき音声を出力することを特徴とする。
【００４４】
図２は、携帯電話器１０の内部の主要構成を示している。携帯電話器１０は無線端末装置に相当し、アンテナ１０ａが接続された通信部１０ｄ、表示部１０ｂ、操作部１０ｃ、音声入力部１０ｅ、音声出力部１０ｆ、全体的な制御を行うシステムコントロール部１０ｇ、第１メモリ部１０ｈ、所要のプログラム３１及び各種データ等が予め記憶されている第２メモリ部１０ｉ、音声生成部１０ｊ、並びに位置検出部１０ｋを内部バス１０ｍで接続した構成にしている。
【００４５】
通信部１０ｄは、システムコントロール部１０ｇの制御により外部との通話及び通信を行う手段であり、アンテナ１０ａを介して最寄りの通信中継装置６ａ〜６ｎとの接続を確立する。なお、通信部１０ｄで通信されるデータにはインターネットのようなネットワークで公開されるウェブサイトに係るコンテンツのデータ、音声データ、及びアプリケーションデータ等がある。
【００４６】
表示部１０ｂは、システムコントロール部１０ｇの制御に基づき通信部１０ｄで受信したコンテンツデータに含まれる画面データ、メニューデータ等の内容を表示するものである。音声入力部１０ｅはマイクに相当し、携帯電話器１０が電話器として使用される際にユーザが話した音声を取得して通信部１０ｄへ伝送する処理を行う。
【００４７】
音声出力部１０ｆは音声増幅回路及びスピーカ等を備えており、携帯電話器１０が電話器として使用される際には着信音及び通話先からの通話音を出力し、受信した音声データに対する出力処理をシステムコントロール部１０ｇの制御に基づき行い、各種音声（音楽及び楽曲等も含む）を出力する。特に、本実施形態では、後述する音声生成部１０ｊから伝送される再生データに対して増幅等の所要処理を行って音声を出力する。
【００４８】
第１メモリ部１０ｈは、システムコントロール部１０ｇの処理に係るデータ、受信したデータ及びファイル等を一時的に記憶する。第２メモリ部１０ｉは、システムコントロール部１０ｇが行う制御内容を規定したプログラム３１を記憶している。このプログラム３１は、ウェブサイトに接続する通信処理、ウェブサイトの閲覧処理、音声出力に係る処理等を規定する。
【００４９】
音声生成部１０ｊは、システムコントロール部１０ｇの制御に基づき、中央装置２から受信するイントネーションデータが規定するイントネーションに従い音声データを再生し、その再生データを音声出力部１０ｆへ伝送する処理を行う。具体的には、音声データが有する音節を検出し、その音節数に該当するイントネーションのパターンをイントネーションデータから特定し、特定したイントネーションのパターンで音声データが有する文言を再生する。
【００５０】
位置検出部１０ｋは、人工衛星７からの電波を受信して現在の位置を検出し、検出した緯度及び経度の値を位置データとして作成している。なお、位置検出部１０は所要間隔（例えば３秒）で位置を検出する。
【００５１】
システムコントロール部１０ｇは上述した各部に対して各種制御処理を行う。本発明に関する処理として、システムコントロール部１０ｇは、操作部１０ｃで受け付けたユーザからの操作指示に基づいて、後述する中央装置２のウェブサーバ３が開設するウェブサイトへアクセスする際、アクセス先のコンテンツを要求する指示を含んだ要求データに位置検出部１０ｋが作成した位置データを付加して通信部１０ｄより送信すると云うコンテンツ要求の制御を行う。
【００５２】
また、要求データの送信に応じて中央装置２から送信される画面データと音声データとを含むコンテンツデータ及びイントネーションデータを通信部１０ｄで受信した場合、システムコントロール部１０ｇは、画面データに係るコンテンツを表示部１０ｂで表示させる制御を行うと共に、音声生成部１０ｊで音声データをイントネーションデータに基づき再生させて音声出力部１０ｆから音声を出力させる制御を行う。
【００５３】
なお、図１に示す携帯電話器１１及び携帯電話器１２も、上述した携帯電話器１０と同様の構成である。また、図１では、計３台の携帯電話器１０〜１２を示しているが、携帯電話器１０と同等の構成を有する図示しない携帯電話器も本実施形態に係る発明に適用できる。
【００５４】
図３は、中央装置２の構成を示している。本実施形態の中央装置２は音声データ提供装置に相当し、ウェブサーバ３及びデータベースサーバ４を接続線２ａで接続して構成される。ウェブサーバ３にはサーバコンピュータが適用されており、ウェブサーバ３は通信部３ａ、記憶部３ｂ、データベースサーバ４を接続してデータの送受処理を行う接続部３ｃ、各種データ及びファイル等を記憶するメモリ部３ｄ、及びＭＰＵ（microprocessor unit）３ｅをサーバ内部バス３ｆで接続した構成にしている。なお、ウェブサーバ３には図示していないが、入力用のキーボード及びマウス、並びにデータが出力表示されるモニタ装置も接続されているものとする。
【００５５】
通信部３ａはネットワーク５と接続されており、ネットワーク５を介して各携帯電話器１０〜１２と通信を行い、各種データの送受を行う。記憶部３ｂは、本実施形態ではハードディスク装置を適用しており、通信に係る処理、地域の特定に係る処理等を規定したプログラム２０及び地域対応テーブル２１を記憶する。
【００５６】
図４は、記憶部３ｂに記憶される地域対応テーブル２１の内容を示したものである。地域対応テーブル２１は、相異する場所となる地域Ａから地域Ｎまで、各地域の位置範囲に相当する緯度経度の数値範囲を夫々規定すると共に、各地域に応じたイントネーションデータの種類を規定している。例えば、地域Ａには第１イントネーションデータが対応付けられており、地域Ｂには第２イントネーションデータが対応付けられている。なお、各地域Ａ〜Ｎは、各携帯電話器１０〜１２が中央装置２と通信できる範囲に相当する地域である。
【００５７】
また、図３に示すウェブサーバ３のＭＰＵ３ｅは、記憶部３ｂに記憶されるプログラムに従い各種制御処理を行っており、特に、本実施形態では、各携帯電話器１０〜１２より位置データを付した要求データを通信部３ａで受信すると、上述した地域対応テーブル２１に従って位置データが示す位置（緯度及び経度）が含まれる地域Ａ〜Ｎに対応するイントネーションデータを特定する処理を行う。イントネーションデータの種類を特定した場合、ＭＰＵ３ｅは、データベースサーバ４が記憶するデータの中から、受信した要求データが指示するコンテンツに対応するコンテンツデータ３１ａ〜３１ｎ及び上記処理で特定したイントネーションデータ３４ａ〜３４ｎを接続部３ｃを介して読み出し、要求データの送信元の携帯電話器１０〜１２へ送信する制御処理を行う。
【００５８】
一方、ウェブサーバ３に接続されるデータベースサーバ４は内部処理部４ａ及び大容量記憶部４ｂを備えている。内部処理部４ａはウェブサーバ３の各部３ｃ〜３ｆと同等の構成を備え、ウェブサーバ３からの指示に基づいて大容量記憶部４ｂから所要のデータを読み出してウェブサーバ３へ送る処理を行う。
【００５９】
大容量記憶部４ｂは、複数のコンテンツデータ３１ａ〜３１ｎ及び各地域Ａ〜Ｎに応じた各イントネーションデータ３４ａ〜３４ｎを記憶している。各コンテンツデータ３１ａ〜３１ｎは、一組の画面データ３２ａ〜３２ｎ及び音声データ３３ａ〜３３ｎを含んでいる。画面データ３２ａ〜３２ｎは携帯電話器１０の表示部１０ｂで表示される内容の表示用コンテンツデータに相当するものである。
【００６０】
図６（ａ）は、画面データ３２ａが携帯電話器１０の表示部１０ｂで表示された状態を示す。画面データ３２はウェブサーバ３が運営するウェブサイトのトップページに相当し、各種文言が記載されている。また、図６（ｂ）は、画面データ３２ａと組になってコンテンツデータ３１ａに含まれる音声データ３３ａの具体的な内容を示している。この音声データ３３ａは、画面データ３２ａの文言には含まれない「着メロは、ジョイサウンドなのだ。」と云う文章を音声として出力させるためのデータになっている。
【００６１】
また、図５は、各イントネーションデータ３４ａ〜３４ｎの内容を示す具体例として、第１イントネーションデータ３４ａが規定するイントネーションの内容を示している。第１イントネーションデータ３４ａは、音節毎にイントネーションが上がるか、下がるか、変化しないかを各パターンとして規定しており、このイントネーションの規定は地域Ａで話されるイントネーションに準じたものになっている。
【００６２】
第１イントネーションデータ３４ａに基づくと、計２音節からなる文言に対しては、パターン１が示すように最初の音節で語尾（イントネーション）を上げ、最後の音節で語尾を下げることが規定され、また、計３音節からなる文言に対しては、パターン２が示すように最初の音節でイントネーション（語尾）を変化させず、第２音節でも変化させず、最後の音節で語尾を上げることが規定されている。なお、他のイントネーションデータ３４ｂ〜３４ｎも、対応する地域に応じたイントネーションが、第１イントネーションデータ３４ａと同様に規定されている。
【００６３】
次に、上述した構成の音声出力システム１による音声出力方法に係る全体的な処理の流れを図７の第１フローチャートに基づいて説明する。なお、以下の処理では携帯電話器１０が地域Ａに位置する場合で説明する。
【００６４】
先ず、携帯電話器１０は、中央装置２のウェブサーバ３にアクセスし、検出した位置を示す位置データを付したコンテンツの要求データを送信する（Ｓ１）。次に中央装置２では、データベースサーバ４が記憶する複数のイントネーションデータ３４ａ〜３４ｎの中から、送信されてきた位置データが示す位置（緯度及び経度）より図４の地域対応テーブル２１に基づいてイントネーションデータ（第１イントネーションデータ３４ａ）をウェブサーバ３で特定する（Ｓ２）。
【００６５】
それからウェブサーバ３は、要求データに対応するコンテンツデータ３１ａ及び特定した第１イントネーションデータ３４ａをデータベースサーバ４から読み出し、コンテンツ要求元の携帯電話器１０へ送信する（Ｓ３）。携帯電話器１０は、受信したコンテンツデータ３１ａの画面データ３２ａを表示部１０ｂに表示し（Ｓ４）、さらに、受信した第１イントネーションデータ３４ａが規定するイントネーションに基づきコンテンツデータ３１ａの音声データ３３ａを再生して音声を出力する（Ｓ５）。
【００６６】
このような処理を経ることで、携帯電話器１０では、表示部１０ｂに画面データ３２ａに係る内容を表示しながら（図６（ａ）参照）、「着メロは、ジョイサウンドなのだ。」と云う音声を地域Ａに応じたイントネーションで出力し、携帯電話器１０のユーザを楽しませることができる。しかも、本実施形態では、提供されるコンテンツは、出力される音声が画面データ３２ａで可視化されていない内容であるため、音声及び表示の両方でユーザの注意を引きつけると云う魅力的なものに仕上がっている。
【００６７】
なお、上述した説明は一例であり、第１実施形態には様々は変形例を適用できる。例えば、画面データ３２ａ〜３２ｎ及び音声データ３３ａ〜３３ｎの内容にはコンテンツの種類及び内容等によって様々なものを適用でき、具体的には、音声データ３３ａ〜３３ｎとして画面データ３２ａ〜３２ｎの内容がユーザに読み飛ばされないように注目度を高めさせる内容、表示部１０ｂの寸法が小さいことから、画面データ３２ａ〜３２ｎの記載を補足するような内容等にすることが好適である。
【００６８】
また、各画面データ３２ａ〜３２ｎに記載されて可視化されている内容を音声として出力するようにしてもよい。この場合は各画面データ３２ａ〜３２ｎに記載されている文字に係るＨＴＭＬ（Hypertext markup language）等のマークアップ言語部分を音声データとして利用することが可能であり、携帯電話器１０の音声生成部１０ｊで音声読み上げ処理を行って音声データを再生する。
【００６９】
さらに、第１実施形態の変形例として、人工衛星７を利用して位置を検出する機能を有さない携帯電話器にも上述したような音声出力を可能にするため、図１に示す各携帯電話器１０〜１２が無線で通信及び通話ができるように所定間隔で各地域に配置される各通信中継装置６ａ〜６ｎが有する識別データを利用して、間接的に携帯電話器１０〜１２の位置を中央装置２で特定する構成にすることも可能である。この場合、通信中継装置６ａ〜６ｎは、各携帯電話器１０〜１２の要求データを中継する場合、自身の識別データを付して中央装置２へ送るようにすると共に、中央装置２のウェブサーバ３は通信中継装置６ａ〜６ｎの識別データと地域Ａ〜Ｎとを対応付ける識別データ対応テーブルを記憶することが必要になる。
【００７０】
図８は、通信中継装置６ａの主要内部構成を示す。通信中継装置６ａは各携帯電話器１０〜１２が無線で通話及び通信ができるように所定の地域に、各携帯電話器１０〜１２との通信に係るデータの送受を行うアンテナ１６ａに接続されて無線通信に係る処理を行う無線通信部１６ｂ、通信中継に係る各種処理を行う制御部１６ｃ、メモリ部１６ｄ、及びネットワーク５と接続される有線通信部１６ｅを内部バスで接続した構成にしている。メモリ部１６ｄには、識別データとして通信中継装置６ａを他の装置と識別するための識別番号（４桁の数字）が記憶されている。なお、図１に示す他の通信中継装置６ｂ〜６ｎも同等の構成であり、夫々相異する識別データ（識別番号）を有する。
【００７１】
また、図９は、本変形例でウェブサーバ３の記憶部３ｂに追加して記憶される識別データ対応テーブル４０の内容を示す。識別データ対応テーブル４０は、各地域Ａ〜Ｎの位置範囲に設置される各通信中継装置６ａ〜６ｎの識別番号を各地域毎に対応付けている。よって、識別データ対応テーブル４０を参照することで、識別データに係る識別番号が「１０００」であれば、その識別データの通信中継装置６ａ〜６ｎは地域Ａに設置されていることを認識でき、その通信中継装置６ａで中継される通信を行う携帯電話器１０〜１２も地域Ａに位置すると推定できる。
【００７２】
なお、本変形例では、ウェブサーバ３のＭＰＵ３ｅが行うイントネーションデータ３４ａ〜３４ｎの特定に係る処理に、識別データ対応テーブル４０の参照に係る処理が追加されることになり、その処理を規定する内容をプログラム２０に含める必要がある。具体的には、ウェブサーバ３が識別データの付された要求データを受信すると、ＭＰＵ３ｅは図９の識別データ対応データ４０に従い識別データに係る識別番号に対応する地域Ａ〜Ｎを特定し、特定した地域Ａ〜Ｎに対応するイントネーションデータ３４ａ〜３４ｎを図４に示す地域対応テーブル２１に基づき特定することになる。
【００７３】
図１０の第２フローチャートは、第１実施形態の上述した変形例に係る音声出力方法に係る全体的な処理の流れを示したものである。この変形例の処理流れを携帯電話器１０でコンテンツ要求を行い、通信中継装置６ａで通信の中継を行う場合で以下に説明する。
本変形例でも、先ず、携帯電話器１０は、中央装置２のウェブサーバ３にアクセスし、検出した位置を示す位置データを付したコンテンツの要求データを送信する（Ｓ１０）。通信中継装置６ａは通信を中継する要求データに識別データを付して中央装置２へ送信する（Ｓ１１）。
【００７４】
中央装置２は、要求データに付された識別データより、図９に示す識別データ対応テーブル４０及び図４に示す地域対応テーブル２１を参照してイントネーションデータ（第１イントネーションデータ３４ａ）を特定し（Ｓ１２）、要求データに係るコンテンツデータ３１ａ及び第１イントネーションデータ３４ａをコンテンツ要求元の携帯電話器１０へ送信する（Ｓ１３）。また、通信中継装置６ａは、中央装置２からのデータを携帯電話器１０へ中継送信する（Ｓ１４）。
【００７５】
携帯電話器１０は、通信中継装置６ａで中継されたデータを受信し、コンテンツデータ３１ａの画面データ３２ａを表示部１０ｂに表示し（Ｓ１５）、第１イントネーションデータ３４ａが規定するイントネーションに基づき音声データ３３ａを再生して音声を出力する（Ｓ１６）。よって、本変形例では、携帯電話器１０〜１２に位置検出機能は要求されないため、特定の機種に限定されることなく一般的な通信機能を有する全ての携帯電話器（無線端末装置）に適用することが可能になる。
【００７６】
図１１は、本発明の第２実施形態に係る音声出力システムにおいて、中央装置のデータベースサーバに記憶されるデータの内容を示したものである。本発明の第２実施形態の音声出力システムは、基本的な構成は第１実施形態と同等であり、中央装置から提供されるデータにイントネーションデータは存在せず、音声データ自体が地域に応じた内容になっていることが第１実施形態と相異する。以下、第１実施形態と相異する部分を中心に第２実施形態の内容を説明する。なお、以下の説明では、第１実施形態と同様な構成に関しては同一の符号を付している。
【００７７】
図１１に示すデータベースサーバ４の大容量記憶部４ｂには、各コンテンツデータ５０ａ〜５０ｎが記憶されている。各コンテンツデータ５０ａ〜５０ｎは、画面データ５１ａ〜５１ｎを含むが、各画面データ５１ａ〜５１ｎは単一の音声データと組になっておらず、各コンテンツデータ５０ａ〜５０ｎに夫々対応する第１音声データ６０ａ〜Ｎａ乃至第ｎ音声データ６０ｎ〜Ｎｎが付帯した状態になっている。
【００７８】
各コンテンツデータに付帯される各音声データ６０ａ〜Ｎｎは、各コンテンツデータ毎に内容及び意味的には同一であるが、地域毎に応じた表現で、且つイントネーションに応じた音階及び音調を規定した音声出力に必要なデータも具備したものになっている。例えば、コンテンツデータ５０ａの画面データ５１ａは、第１実施形態と同様にウェブサイトのトップページに相当する図６（ａ）に示す内容と同一であるが、各音声データ６０ａ〜６０ｎは意味的に「着メロは、ジョイサウンドなのだ。」と云う内容を各地の言い回し、方言等の表現で音声出力させる内容になっている。
【００７９】
具体的には、図１３に示すように、第１音声データ６０ａは九州地方の熊本地域に対応した表現として「ばってん、着メロはジョイサウンドですたい。」と云う内容であり、第２音声データ６０ｂは近畿地方の大阪地域に対応した表現として「そら、着メロはジョイサウンドでっしゃろ。」と云う内容であり、第ｎ音声データ６０ｎは近畿地方の京都地域に対応した表現として「ほんに、着メロはジョイサウンドどすぇ。」と云う内容である。
【００８０】
図１２は、ウェブサーバ３の記憶部３ｂに記憶される地域対応テーブル７１の内容を示す。第２実施形態の地域対応テーブル７１は、図４に示す第１実施形態の地域対応テーブル２１と異なり、各地域Ａ〜Ｎに対応する音声データが規定されたものになっている。よって、第２実施形態のウェブサーバ３では、要求データに付された位置データに基づき地域対応テーブル７１に従いＭＰＵ３ｅが音声データを特定し、データベースサーバ４へ特定した音声データを読み出す指示を出す。
【００８１】
また、図２に示す各携帯電話器１０〜１２の音声生成部１０ｊでの再生処理は、上述した各音声データ６０ａ〜Ｎｎ等に含まれる音階及び音調等を規定したデータ等に応じた内容で音声を再生する処理を行う。なお、第２実施形態において、上述した箇所以外の構成及び処理等は第１実施形態と同様であるため説明を省略する。
【００８２】
図１４は、第２実施形態の音声出力システムが行う音声出力方法の処理手順に係る第３フローチャートを示す。第３フローチャートの処理流れの内容は、図７に示す第１フローチャートと基本的に同等であり、携帯電話器１０が地域Ａに位置する場合で処理手順を以下に説明する。
【００８３】
先ず、携帯電話器１０が中央装置２のウェブサーバ３にアクセスし、検出した位置を示す位置データを付したコンテンツの要求データを送信する（Ｓ２０）。次に中央装置２では、複数の音声データ６０ａ〜６０ｎの中から、送信されてきた位置データが示す位置（緯度及び経度）より図１２の地域対応テーブル７１に基づいて音声データ（例えば、第１音声データ６０ａ。以下同様）をウェブサーバ３で特定する（Ｓ２１）。
【００８４】
それからウェブサーバ３は、要求データに対応するコンテンツデータ５０ａ及び特定した第１音声データ６０ａをデータベースサーバ４から読み出し、コンテンツ要求元の携帯電話器１０へ送信する（Ｓ２２）。携帯電話器１０は、受信したコンテンツデータ５０ａの画面データ５１ａを表示し（Ｓ２３）、さらに、受信した第１音声データ６０ａを再生し音声を出力する（Ｓ２４）。
【００８５】
このような処理を経ることで、携帯電話器１０では、表示部１０ｂに画面データ５１ａに係る内容を表示しながら、「ばってん、着メロはジョイサウンドですたい。」と云うユーザが現在いる地域に応じた音声を出力でき、地域に応じたバラエティに富んだ表現で携帯電話器１０のユーザを一層楽しませることができる。
【００８６】
なお、第２実施形態に係る音声出力システム及び音声出力方法も第１実施形態と同等の変形例が適用でき、図１０の第２フローチャートに示すように通信中継装置の識別データを利用した方法も適用できる。この場合、第２実施形態では、図１０に示す第２フローチャートの「イントネーションデータを特定（Ｓ１２）」が「音声データを特定」に変わり、また、「コンテンツデータ及びイントネーションデータを送信（Ｓ１３）」が「コンテンツデータ及び音声データを送信」に変わると共に、「コンテンツデータの音声データをイントネーションデータに基づき出力（Ｓ１６）」が「音声データを出力」に変わることになる。
【００８７】
図１５（ａ）は、本発明の第３実施形態に係る音声出力システムにおいて、中央装置へアクセスされた際に、中央装置からアクセス元へ送信されて表示されるメニューデータ８０の内容を示すものである。本発明の第３実施形態の音声出力システムは、基本的な構成は第１実施形態と基本的に同等であると共に、データの記憶形態は図１１に示す第２実施形態の内容と同等であり、ユーザがメニューデータ８０で選択した表現方式で音声を出力できるようにしたことが特徴である。以下、第１及び第２実施形態と相異する部分を中心に第３実施形態の内容を説明する。なお、以下の説明では、第１実施形態と同様な構成に関しては同一の符号を付している。
【００８８】
図１５（ａ）のメニューデータ８０は、ウェブサーバ３の記憶部３ｂに記憶されるものであり、「１．ラップ調」８０ａ、「２．時代劇調」８０ｂ、「３．外国人口調」８０ｃ、及び「４．英語」と云うように複数の表現方式の項目が記載され、且つメニューデータ８０が携帯電話器１０〜１２で受信されて表示されるとユーザの操作により各表現方式の中からいずれか一つ表現項目の選択を受け付けることができるデータ構成になっている。また、選択を受け付けると、選択された表現に係る選択データ及びコンテンツの要求データをウェブサーバ３へ送信するプログラムデータもメニューデータ８０に付されている。なお、ウェブサーバ３のＭＰＵ３ｅは、外部からアクセスを受け付けるとメニューデータ８０を記憶部３ｂから読み出しアクセス元へ送信する処理を行う。
【００８９】
また、図１５（ｂ）は、選択対応テーブル８１の内容を示している。選択対応テーブル８１は、ウェブサーバ３の記憶部３ｂに記憶されるものであり、選択データに対応するデータの種類が規定されている。具体的には、ラップ調には第１音声データが対応付けられており、以下、時代劇調には第２音声データ、外国人口調には第３音声データ、英語には第４音声データが夫々対応付けられている。よって、ウェブサーバ３がラップ調を選択したと云う選択データを受信すると、ウェブサーバ３のＭＰＵ３ｅは選択対応テーブル８１に従いラップ調に対応する第１音声データを特定し、特定した各音声データを読み取る指示をデータベースサーバ４へ送る。
【００９０】
また、データベースサーバ４の大容量記憶部４ｂによるデータ記憶は、図１１に示す形態と同様であり、画面データを含むコンテンツデータに複数（本実施形態では４個）の相異する表現の音声データが付帯した状態で記憶されている。
【００９１】
図１６は、ウェブサイトのトップページに係るコンテンツデータに付帯する４個の音声データ９０ａ〜９０ｄの内容を示す一例である。第１音声データ９０ａはラップ調のものであり、「着メロはジョイサウンドである」と云う意味を「ヨォッ、着メロは、ジョイサウンドだぜ！ヨォッ。」と云う内容で音声を出力するためのデータである。
【００９２】
また、第２音声データ９０ｂは時代劇調の表現に対応し、「着メロは、ジョイサウンドでござります候ふ」と云う内容で音声を出力するためデータであり、以下、第３音声データ９０ｃは外国人口調に対応し、「チャクメロォは、ジョイサウンドどぅぇす。」と云う内容を音声出力するためのデータであり、第４音声データは英語表現に対応し、「ＪＯＹＳＯＵＮＤ  ｉｓ  Ｎｏ．１  Ｃｈａｋｕｍｅｌｏ」と云うデータになっている。
【００９３】
なお、第３実施形態では、図４に示す地域対応テーブル２１は不要であり、また、図２に示す携帯電話器１０において位置検出部１０ｋも不要であり、また、携帯電話器１０の音声生成部１０ｊは第２実施形態と同等な処理で音声データを行う。第３実施形態において、上述した箇所以外の構成及び処理等は第１実施形態と同様であるため、説明を省略する。
【００９４】
図１７は、第３実施形態の音声出力システムが行う音声出力方法の処理手順に係る第４フローチャートを示す。第４フローチャートの内容を携帯電話器１０が中央装置２へアクセスし、ラップ調で音声を表現させる場合で以下に説明する。
【００９５】
先ず、携帯電話器１０が中央装置２へアクセスを行い（Ｓ３０）、中央装置２のウェブサーバ３はメニューデータ８０を携帯電話器１０へ送信する（Ｓ３１）。携帯電話器１０はメニューデータ８０を受信すると、図１５（ａ）に示すようにメニューデータ８０の内容を表示部１０ｃに表示し、ユーザの操作によりいずれかの表現の選択を受け付けて、選択データを付したコンテンツの要求データを送信する（Ｓ３２）。次に、中央装置２では、ウェブサーバ３が選択データに対応する音声データ（第１音声データ９０ａ）を図１５（ｂ）の選択対応テーブル８１に従い特定し（Ｓ３３）、要求データに対応するコンテンツデータ及び特定した第１音声データ９０ａをコンテンツ要求元の携帯電話器１０へ送信する（Ｓ３４）。
【００９６】
それから、携帯電話器１０は、受信したコンテンツデータの画面データを表示し（Ｓ３５）、さらに、受信した第１音声データ９０ａを再生し音声を出力する（Ｓ３６）。よって、第３実施形態では、上述した処理を経ることで、携帯電話器１０では、表示部１０ｂでトップページの表示を行いながら、ラップ調の音声を出力してユーザの注意を引くことができる。
【００９７】
なお、第３実施形態は上述した形態に限定されるものではなく、他の表現をメニューデータ８０で選択できるようにすることも可能であり、音声データの内容も第１実施形態と同様に表示するコンテンツに応じて様々な内容及び表現を適用することが可能である。また、第３実施形態でも、第１実施形態と同様に音声データは共通にして、様々な種類のイントネーションデータをデータベースサーバ４に記憶させ、メニューデータで各種イントネーションデータの中から所要のものをユーザに選択させて、選択したイントネーションで音声を出力させる構成にすることも可能である。
【図面の簡単な説明】
【００９８】
【図１】本発明の第１実施形態に係る音声出力システムを示す概略図である。
【図２】携帯電話器の主要な内部構成を示すブロック図である。
【図３】中央装置の主要な内部構成を示すブロック図である。
【図４】地域対応テーブルを示す図表である。
【図５】イントネーションデータの内容を示す図表である。
【図６】（ａ）は画面データの表示状態を示す概略図であり、（ｂ）は音声データの内容を示す図である。
【図７】第１実施形態に係る音声出力方法の処理手順を示す第１フローチャートである。
【図８】通信中継装置の主要な内部構成を示すブロック図である。
【図９】識別データ対応テーブルの内容を示す図表である。
【図１０】第１実施形態の変形例に係る音声出力方法の処理手順を示す第２フローチャートである。
【図１１】第２実施形態のデータベースサーバのデータの記憶形態を示す概略図である。
【図１２】第２実施形態の地域対応テーブルを示す図表である。
【図１３】第２実施形態の音声データの内容を示す図である。
【図１４】第２実施形態に係る音声出力方法の処理手順を示す第３フローチャートである。
【図１５】（ａ）は第３実施形態に係るメニューデータが表示された状態を示す概略図であり、（ｂ）は選択対応テーブルの内容を示す図表である。
【図１６】第３実施形態の音声データの内容を示す図である。
【図１７】第３実施形態に係る音声出力方法の処理手順を示す第４フローチャートである。
【符号の説明】
【００９９】
１  音声出力システム
２  中央装置
３  ウェブサーバ
３ｂ  記憶部
３ｅ  ＭＰＵ
４  データベースサーバ
４ａ  内部処理部
４ｂ  大容量記憶部
５  ネットワーク
６ａ〜６ｎ  通信中継装置
７  人工衛星
１０〜１２  携帯電話器
１０ｆ  音声出力部
１０ｇ  システムコントロール部
１０ｊ  音声生成部
１０ｋ  位置検出部
２１、７１  地域対応テーブル
３１ａ〜３１ｎ  コンテンツデータ
３２ａ〜３２ｎ  画面データ
３３ａ〜３３ｎ  音声データ
３４ａ〜３４ｎ  第１イントネーションデータ〜第ｎイントネーションデータ
８０  メニューデータ
【図１】
2006081026.tif 000003
【図２】
2006081026.tif 000004
【図３】
2006081026.tif 000005
【図４】
2006081026.tif 000006
【図５】
2006081026.tif 000007
【図６】
2006081026.tif 000008
【図７】
2006081026.tif 000009
【図８】
2006081026.tif 000010
【図９】
2006081026.tif 000011
【図１０】
2006081026.tif 000012
【図１１】
2006081026.tif 000013
【図１２】
2006081026.tif 000014
【図１３】
2006081026.tif 000015
【図１４】
2006081026.tif 000016
【図１５】
2006081026.tif 000017
【図１６】
2006081026.tif 000018
【図１７】
2006081026.tif 000019